【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
相手機器との無線通信を行う無線通信手段と、
前記相手機器との接触を検知する複数の接触センサと、
前記複数の接触センサにより、機器表面のどの部分で前記相手機器と接触しているかを検知する接触箇所検知手段と、
前記接触箇所検知手段で検知した接触箇所に応じて、前記相手機器との無線通信の認証設定を選択する通信設定選択手段と、
前記接触センサによって接触を検知した場合に、前記通信設定選択手段が選択した認証設定の内容に応じて、前記無線通信手段による無線通信のための認証処理を行う通信設定手段と
を備える無線情報端末。
【請求項２】
前記認証設定は、前記相手機器との無線通信に使用する無線システムの種類、ネットワーク識別コード、暗号鍵のうちの少なくとも一つを規定するものである請求項１記載の無線情報端末。
【請求項３】
前記接触箇所検知手段で検知した接触箇所に応じて、前記相手機器との無線通信の動作を選択する通信動作設定手段を
さらに備え、
前記通信動作設定手段が選択した通信動作に応じて、前記無線通信手段の通信動作が制御される請求項１又は２記載の無線情報端末。
【請求項４】
前記無線通信の動作は、データを送信するモードと、データを受信するモードを少なくとも含む請求項３記載の無線情報端末。
【請求項５】
利用者が通信開始の要求を入力する通信要求入力手段を備え、
前記通信要求入力手段は、利用者から通信開始の要求を受けた場合に前記接触センサに検知動作を指示し、
前記接触センサは、前記通信要求入力手段からの指示があった場合にのみ接触の検知動作を行う請求項１乃至４いずれか一項に記載の無線情報端末。
【請求項６】
前記相手機器と接触している状態で前記相手機器と通信を行う接触通信手段を備え、
前記接触通信手段は、前記無線通信手段による無線通信のための認証処理に必要な認証情報の一部乃至全部を前記相手機器より取得し、
前記通信設定手段は、前記接触通信手段によって得られた前記認証情報を用いて前記相手機器との無線通信のための認証処理を行う請求項１乃至５いずれか一項に記載の無線情報端末。
【請求項７】
前記接触センサは、
機器表面に形成された導電性部材からなる接触電極部と、
前記接触電極部の電気的状態の変化を観測して機器同士の接触であるかを判定する機器接触判定部と
を備える請求項１乃至６いずれか一項に記載の無線情報端末。
【請求項８】
前記接触センサは、
機器の振動を検知して電気信号に変換する振動検知部と、
前記振動検知部からの電気信号を観測して機器同士の接触であるかを判定する機器接触判定部と
を備える請求項１乃至７いずれか一項に記載の無線情報端末。
【請求項９】
前記接触センサは、接触している時間を計測する接触時間計測手段を備え、
前記通信設定手段は、前記接触時間計測手段が予め設定した時間範囲の接触を検知した場合のみ前記相手機器との無線通信のための認証処理を行う請求項１乃至８いずれか一項に記載の無線情報端末。
【請求項１０】
前記通信要求入力手段は、
利用者が通信開始の要求している間は常に第１の状態を示し、利用者が通信開始の要求していない間は常に第２の状態を示すように動作するスイッチ手段を備え、
前記スイッチ手段が第１の状態となっている間は前記接触センサに検知動作を指示する請求項５記載の無線情報端末。
【請求項１１】
前記接触通信手段は、
機器表面に形成された導電性部材からなる接触電極部と、
前記接触電極部の電気的状態の変化を検出する電気的変化検出部と、
前記電気的変化検出部で検出した電気的状態の変化を情報に変換する接触伝送情報変換手段と
を備える請求項６記載の無線情報端末。
【手続補正２】
【補正対象書類名】明細書
【補正対象項目名】００１６
【補正方法】変更
【補正の内容】
【００１６】
本発明の無線情報端末は、第１に、相手機器との無線通信を行う無線通信手段と、前記相手機器との接触を検知する複数の接触センサと、前記複数の接触センサにより、機器表面のどの部分で前記相手機器と接触しているかを検知する接触箇所検知手段と、前記接触箇所検知手段で検知した接触箇所に応じて、前記相手機器との無線通信の認証設定を選択する通信設定選択手段と、前記接触センサによって接触を検知した場合に、前記通信設定選択手段が選択した認証設定の内容に応じて、前記無線通信手段による無線通信のための認証処理を行う通信設定手段とを備えるものである。
この構成により、接触センサによって相手機器との接触を検知した場合に、無線通信手段による無線通信のための認証処理を行うので、認証処理を安全に行うことができ、第三者に認証情報が傍受されるのを極力防止できる。また、利用者が面倒な設定手続きを行うことなく、簡便にお互いが通信可能な状態にすることができる。また、接触箇所に対応して異なる認証処理を行うことができる。また、複数の接触センサにより、機器表面のどの部分で相手機器と接触しているかを確実に検知できる。
本発明の無線情報端末は、第２に、前記認証設定は、前記相手機器との無線通信に使用する無線システムの種類、ネットワーク識別コード、暗号鍵のうちの少なくとも一つを規定するものである。
本発明の無線情報端末は、第３に、前記接触箇所検知手段で検知した接触箇所に応じて、前記相手機器との無線通信の動作を選択する通信動作設定手段をさらに備え、前記通信動作設定手段が選択した通信動作に応じて、前記無線通信手段の通信動作が制御されるものとする。この構成により、接触箇所に対応して異なる無線通信の動作を行わせることができる。
本発明の無線情報端末は、第４に、前記無線通信の動作は、データを送信するモードと、データを受信するモードを少なくとも含むものとする。
【手続補正３】
【補正対象書類名】明細書
【補正対象項目名】００１７
【補正方法】変更
【補正の内容】
【００１７】
本発明の無線情報端末は、第５に、利用者が通信開始の要求を入力する通信要求入力手段を備え、前記通信要求入力手段は、利用者から通信開始の要求を受けた場合に前記接触センサに検知動作を指示し、前記接触センサは、前記通信要求入力手段からの指示があった場合にのみ接触の検知動作を行うものとする。
この構成により、利用者が通信要求入力手段から通信開始の要求を入力した際に相手機器との接触の検知動作を行うことで、意図しない接触によって認証処理が行われるのを防止できる。
【手続補正４】
【補正対象書類名】明細書
【補正対象項目名】００１８
【補正方法】変更
【補正の内容】
【００１８】
本発明の無線情報端末は、第６に、前記相手機器と接触している状態で前記相手機器と通信を行う接触通信手段を備え、前記接触通信手段は、前記無線通信手段による無線通信のための認証処理に必要な認証情報の一部乃至全部を前記相手機器より取得し、前記通信設定手段は、前記接触通信手段によって得られた前記認証情報を用いて前記相手機器との無線通信のための認証処理を行うものとする。
この構成により、相手機器と接触している状態で接触通信手段を介して無線通信のための認証処理に必要な情報の一部乃至全部を相手機器との間で通信することで、無線通信を用いずに認証処理が可能となり、第三者に認証情報が傍受されるのを防止できる。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
本発明の無線情報端末は、第７に、前記接触センサは、機器表面に形成された導電性部材からなる接触電極部と、前記接触電極部の電気的状態の変化を観測して機器同士の接触であるかを判定する機器接触判定部とを備えるものとする。
この構成により、接触電極部の電気的状態の変化に基づいて機器同士の接触を判定できる。
【手続補正９】
【補正対象書類名】明細書
【補正対象項目名】００２３
【補正方法】変更
【補正の内容】
【００２３】
本発明の無線情報端末は、第８に、前記接触センサは、機器の振動を検知して電気信号に変換する振動検知部と、前記振動検知部からの電気信号を観測して機器同士の接触であるかを判定する機器接触判定部とを備えるものとする。
この構成により、振動検知部からの電気信号に基づいて機器同士の接触を判定できる。
【手続補正１０】
【補正対象書類名】明細書
【補正対象項目名】００２４
【補正方法】変更
【補正の内容】
【００２４】
本発明の無線情報端末は、第９に、前記接触センサは、接触している時間を計測する接触時間計測手段を備え、前記通信設定手段は、前記接触時間計測手段が予め設定した時間範囲の接触を検知した場合のみ前記相手機器との無線通信のための認証処理を行うものとする。
この構成により、接触している時間が予め設定した時間範囲である場合に相手機器との無線通信のための認証処理を行うことができる。
【手続補正１１】
【補正対象書類名】明細書
【補正対象項目名】００２５
【補正方法】変更
【補正の内容】
【００２５】
本発明の無線情報端末は、第１０に、前記通信要求入力手段は、利用者が通信開始の要求している間は常に第１の状態を示し、利用者が通信開始の要求していない間は常に第２の状態を示すように動作するスイッチ手段を備え、前記スイッチ手段が第１の状態となっている間は前記接触センサに検知動作を指示するものとする。
この構成により、スイッチ手段が第１の状態となっている間は接触検知手段による接触検知動作が可能となる。